(57)【要約】【課題】カメラの映像に複数の認証端末が含まれる場合であっても、どの利用者の映像とどの顔写真を比較すればよいかを判別することができる映像監視システムを提供する。【解決手段】利用者に割り当てられた識別記号と識別記号が割り当てられた利用者の顔写真とを対応付けて記憶した記憶手段４ｇと、カメラ２によって撮影されている認証端末１周辺の映像に関する情報が入力され、認証端末１に識別記号を入力した利用者の映像の近傍に、認証端末１に入力された識別記号に対応付けられた顔写真が重なるように、表示装置５に表示させる表示制御手段４ｅと、を備えたものである。【選択図】図１
2012156817.tif 000002
【特許請求の範囲】
【請求項１】
利用者に割り当てられた識別記号と前記識別記号が割り当てられた利用者の顔写真とを対応付けて記憶した記憶手段と、
カメラによって撮影されている認証端末周辺の映像に関する情報が入力され、前記認証端末に識別記号を入力した利用者の映像の近傍に、前記認証端末に入力された識別記号に対応付けられた顔写真が重なるように、表示装置に表示させる表示制御手段と、
を備えたことを特徴とする映像監視システム。
【請求項２】
前記表示制御手段は、前記認証端末に入力された識別記号に対応付けられた顔写真と識別記号が入力された認証端末の映像とを結ぶ線を前記表示装置に表示させることを特徴とする請求項１記載の映像監視システム。
【請求項３】
前記認証端末は、複数の管理領域の各々に対応して設けられ、
前記カメラは、前記認証端末の各々に対応して設けられ、
前記表示制御手段は、前記カメラの各々によって撮影されている認証端末周辺の映像を同時に前記表示装置に表示させることを特徴とする請求項１又は請求項２に記載の映像監視システム。
【請求項４】
前記記憶手段は、前記識別記号と前記識別記号が割り当てられた利用者の氏名とを対応付けて記憶し、
前記表示制御手段は、前記認証端末に識別記号を入力した利用者の映像の近傍に、前記認証端末に入力された識別記号に対応付けられた氏名が重なるように、前記表示装置に表示させることを特徴とする請求項１〜請求項３のいずれかに記載の映像監視システム。
【発明の詳細な説明】
【技術分野】
【０００１】
この発明は、映像監視システムに関するものである。
【背景技術】
【０００２】
映像監視システムとして、認証端末に識別記号を入力した利用者の映像と識別記号に対応して予め記憶された氏名等の文字とを同時に表示させるものが提案されている。この装置によれば、映像と文字とを比較することによって、本人確認することができる（例えば、特許文献１参照）。
【０００３】
しかしながら、映像と文字との比較によって本人確認することは難しい。このため、他人へのなりすましを見落とす場合がある。
【０００４】
これに対し、認証端末に識別記号を入力した利用者の映像と認識記号に対応して予め記憶された顔写真を同時に表示させるものが提案されている。この装置によれば、比較的容易に本人確認をすることができる（例えば、特許文献２参照）。
【先行技術文献】
【特許文献】
【０００５】
【特許文献１】特開２００５−７６３７８号公報
【特許文献２】特開平９−３１９８７７号公報
【発明の概要】
【発明が解決しようとする課題】
【０００６】
しかしながら、引用文献２記載のものにおいては、カメラの映像に複数の認証端末が含まれる場合、出勤時等、利用者が次々と各認証端末に識別記号を入力すると、複数の顔写真が同時に表示される。この場合、どの利用者の映像とどの顔写真を比較すればよいかを判別することができない。
【０００７】
この発明は、上述のような課題を解決するためになされたもので、その目的は、カメラの映像に複数の認証端末が含まれる場合であっても、どの利用者の映像とどの顔写真を比較すればよいかを判別することができる映像監視システムを提供することである。
【課題を解決するための手段】
【０００８】
この発明に係る映像監視システムは、利用者に割り当てられた識別記号と前記識別記号が割り当てられた利用者の顔写真とを対応付けて記憶した記憶手段と、カメラによって撮影されている認証端末周辺の映像に関する情報が入力され、前記認証端末に識別記号を入力した利用者の映像の近傍に、前記認証端末に入力された識別記号に対応付けられた顔写真が重なるように、表示装置に表示させる表示制御手段と、を備えたものである。
【発明の効果】
【０００９】
この発明によれば、カメラの映像に複数の認証端末が含まれる場合であっても、どの利用者の映像とどの顔写真を比較すればよいかを判別することができる。
【図面の簡単な説明】
【００１０】
【図１】この発明の実施の形態１における映像監視システムのブロック図である。
【図２】この発明の実施の形態１における映像監視システムに利用される位置情報を説明するための図である。
【図３】この発明の実施の形態１における映像監視システムに利用される個人情報を説明するための図である。
【図４】この発明の実施の形態１における映像監視システムの動作を説明するためのフローチャートである。
【図５】この発明の実施の形態１における映像監視システムの表示例を説明するための図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における映像監視システムのブロック図である。
図１の映像監視システムは、ビル（図示せず）に設置される。当該ビルは、複数の管理領域（図示せず）に分けられる。各管理領域には、出入口（図示せず）が設けられる。各出入口には、扉（図示せず）が設けられる。各扉には、電気錠（図示せず）が設けられる。
【００１３】
各出入口近傍には、認証端末１が設けられる。例えば、認証端末１は、カードリーダからなる。認証端末１は、利用者が携帯したカードから識別記号を読み取る機能を備える。識別記号は、利用者毎に割り当てられた社員番号等の個人番号からなる。認証端末１は、近傍の各扉の電気錠（図示せず）に接続される。各出入口近傍には、カメラ２が設けられる。カメラ２は、各出入口近傍の認証端末１周辺が撮影範囲内に収まるように配置される。
【００１４】
ビルの管理室（図示せず）には、入退室管理システム３が設けられる。入退室管理システム３は、各認証端末１に接続される。入退室管理システム３は、認証端末１に入力された個人番号に基づいて、対応した電気錠の解錠可否を判断する機能を備える。入退室管理システム３は、通行履歴通信手段３ａを備える。通行履歴通信手段３ａは、通行履歴を外部に送信する機能を備える。通行履歴は、認証端末番号、通行個人番号、通行時刻が対応付けられたものである。
【００１５】
ビルの管理室には、映像監視レコーダ４が設けられる。映像監視レコーダ４は、受信手段４ａ、通行履歴記憶手段４ｂ、映像記録手段４ｃ、制御手段４ｄを備える。受信手段４ａは、入退室管理システム３の通行履歴通信手段３ａから通行履歴を受信する機能を備える。通行履歴記憶手段４ｂは、受信手段４ａが受信した通行履歴を記憶する機能を備える。映像記録手段４ｃは、各カメラ２が撮影した映像を時刻と対応付けて記録する機能を備える。
【００１６】
制御手段４ｄは、表示制御手段４ｅを備える。表示制御手段４ｅは、映像監視レコーダ４の映像をディスプレイ（表示装置）５に表示させる機能を備える。この際、表示制御手段４ｅは、通行履歴記憶手段４ｂに記憶された同時刻の通行履歴もディスプレイ５に表示させる。この表示は、リアルタイムの表示でもよいし、所定の操作で指定された過去の時刻の表示でもよい。
【００１７】
本実施の形態の映像監視レコーダ４は、位置情報記憶手段４ｆ、個人情報記憶手段４ｇ、検索手段４ｈを備える。位置情報記憶手段４ｆは、第１位置情報、第２位置情報を認証端末番号に対応付けて記憶する機能を備える。第１位置情報は、認証端末１近傍の位置情報である。第２位置情報は、認証端末１の位置情報である。個人情報記憶手段４ｇは、氏名、顔写真の個人情報を個人番号に対応付けて記憶する機能を備える。
【００１８】
検索手段４ｈは、通行履歴記憶手段４ｂに記憶された認証端末番号に基づいて、位置情報記憶手段４ｆから当該認証端末１近傍と当該認証端末１との位置情報を検索する機能を備える。検索手段４ｈは、通行履歴記憶手段４ｂに記憶された通行個人番号に基づいて、氏名と顔写真とを検索する機能を備える。
【００１９】
このような映像監視システムにおいては、表示制御手段４ｅは、認証端末１近傍の位置情報に基づいて、個人情報の画像をディスプレイ５に表示させる機能を備える。表示制御手段４ｅは、認証端末１近傍と認証端末１との位置情報に基づいて、個人情報の画像と認証端末１の映像とを結ぶ補助線をディスプレイ５に表示させる機能を備える。
【００２０】
次に、図２を用いて、位置情報記憶手段４ｆに記憶された位置情報の具体例を説明する。
図２はこの発明の実施の形態１における映像監視システムに利用される位置情報を説明するための図である。
【００２１】
図２のテーブルに示すように、各カメラ２に対応して、各カメラ映像番号が割り付けられる。各カメラ映像番号には、各カメラ２の映像範囲内の認証端末１に対応した認証端末番号、第１位置情報、第２位置情報が対応付けられる。
【００２２】
例えば、カメラ映像番号Ｃ０１には、認証端末番号Ｒ０１、Ｒ０２が対応付けられる。認証端末番号Ｒ０１には、第１位置情報「１００、１２０」、第２位置情報「１５０、１６０」が対応付けられる。これに対し、認証端末番号Ｒ０２には、第１位置情報「１５０、２００」、第２位置情報「１８０、１９０」が対応付けられる。
【００２３】
次に、図３を用いて、個人情報記憶手段４ｇに記憶された個人情報の具体例を説明する。
図３はこの発明の実施の形態１における映像監視システムに利用される個人情報を説明するための図である。
【００２４】
図３のテーブルに示すように、個人番号０００１には、氏名として、「山田  太郎」の文字情報が対応付けられる。個人番号０００１には、顔写真として、「ｙａｍａｄａ．ｊｐｇ」のファイルが対応付けられる。
【００２５】
次に、図４を用いて、映像監視システムの動作の一例を説明する。
図４はこの発明の実施の形態１における映像監視システムの動作を説明するためのフローチャートである。
【００２６】
まず、ステップＳ１では、制御手段４ｄは、カメラ２の映像の表示命令があるか否かを判断する。具体的には、カメラ２の指定及び時刻の指定がなされたか否かが判断される。カメラ２の映像の表示命令がない場合は、当該判断が繰り返される。カメラ２の映像の表示命令があると、ステップＳ２に進む。
【００２７】
ステップＳ２では、検索手段４ｈは、指定されたカメラ映像番号に対応した認証端末番号と位置情報とを位置情報記憶手段４ｆから取得する。その後、ステップＳ３に進み、検索手段４ｈは、指定された時刻の前後に認証端末１を操作した通行履歴を通行履歴記憶手段４ｂから取得する。
【００２８】
その後、ステップＳ４に進み、検索手段４ｈは、当該通行履歴に対応する氏名、写真を個人情報記憶手段４ｇから取得する。その後、ステップＳ５に進み、表示制御手段４ｅは、位置情報に従い、カメラ２の映像の上に、個人番号、氏名、顔写真、認証端末番号、補助線を重ねて表示させる。
【００２９】
その後、ステップＳ６に進み、制御手段４ｄは、カメラ２の映像の表示対象とする時刻を進める。例えば、制御手段４ｄは、ｔ（分）を１分だけインクリメントする。その後、ステップＳ７に進み、制御手段４ｄは、カメラ２の映像の表示終了命令があるか否かを判断する。カメラ２の映像の表示終了命令がない場合は、ステップＳ３に戻る。カメラ２の映像の表示終了命令がある場合は、ステップＳ１に戻る。
【００３０】
次に、図５を用いて、図４の動作によるディスプレイ５の表示例を具体的に説明する。
図５はこの発明の実施の形態１における映像監視システムの表示例を説明するための図である。
【００３１】
図５に示すように、ディスプレイ５には、２つの扉が表示される。これらの扉の近傍には、認証端末１が表示される。利用者が左側の認証端末１にカードをかざした場合、左側の認証端末１近傍には、カードをかざした利用者が表示される。これと同時に、左側の認証端末１近傍には、カードに対応した社員番号、氏名、顔写真の画像６が表示される。さらに、左側の認証端末１の位置には、認証端末番号７が表示される。加えて、画像６と左側の認証端末１とを結ぶ補助線８が表示される。
【００３２】
右側の認証端末１においても、同様の表示となる。すなわち、右側の認証端末１近傍には、カードをかざした利用者（図示せず）が表示される。これと同時に、右側の認証端末１近傍には、カードに対応した社員番号、氏名、顔写真の画像６が表示される。さらに、右側の認証端末１の位置には、認証端末番号７が表示される。さらに、画像６と左側の認証端末１とを結ぶ補助線８が表示される。
【００３３】
このようなディスプレイ５の表示により、カードをかざした利用者の顔とカードの正規の所有者の顔写真と比較することができる。この際、各認証端末１と補助線８で結ばれている顔写真を、各認証端末１にカードをかざしている利用者の顔と比較すればよい。
【００３４】
以上で説明した実施の形態１によれば、認証端末１に入力された個人番号に対応付けられた顔写真が、認証端末１に個人番号を入力した利用者の映像の近傍に重なるように表示される。このため、カメラ２の映像に複数の認証端末１が含まれる場合であっても、どの利用者の映像とどの顔写真とを比較すればよいかを判別することができる。これにより、他人へのなりすましや他人の共連れを見分けることができる。
【００３５】
また、認証端末１に入力された個人番号に対応付けられた顔写真と個人番号が入力された認証端末１の映像とを結ぶ補助線８が表示される。このため、表示された顔写真と操作された認証端末１との関係を一目で理解することができる。これにより、なりすましや共連れを確実に見分けることができる。
【００３６】
また、認証端末１に個人番号を入力した利用者の映像の近傍に、認証端末１に入力された識別記号に対応付けられた氏名も表示される。このため、なりすましや共連れを確実に見分けることができる。
【００３７】
なお、カメラ２の各々によって撮影されている認証端末１周辺の映像を同時にディスプレイ５に表示させるようにしてもよい。この場合、各認証端末１に対し、なりすましや共連れを確実に見分けることができる。
【００３８】
また、警報や異常が発生した時刻と場所に基づいて、カメラ２の映像と顔写真とをディスプレイ５に表示させるようにしてもよい。この場合、警報や異常の原因を解析する際に、カメラ２の映像を利用することができる。
【符号の説明】
【００３９】
１  認証端末
２  カメラ
３  入退室管理システム
３ａ  通行履歴通信手段
４  映像監視レコーダ
４ａ  受信手段
４ｂ  通行履歴記憶手段
４ｃ  映像記録手段
４ｄ  制御手段
４ｅ  表示制御手段
４ｆ  位置情報記憶手段
４ｇ  個人情報記憶手段
４ｈ  検索手段
５  ディスプレイ
６  画像
７  認証端末番号
８  補助線
【図１】
2012156817.tif 000003
【図２】
2012156817.tif 000004
【図３】
2012156817.tif 000005
【図４】
2012156817.tif 000006
【図５】
2012156817.tif 000007